(57)【特許請求の範囲】
【請求項１】
電力が供給されることで発光する発光部と、
前記発光部に接続され、非導通点、第一接続点、第二接続点のいずれかに接続可能なスイッチ部と、
所定の電力を供給し、前記第一接続点に接続される電源部と、
手動により電力を発電し、前記第二接続点に接続される手動発電部と、
前記手動発電部が発電する電力を蓄電し、かつ前記スイッチ部が前記第一接続点に接続された場合に、前記電源部が供給する電力を逆流防止ダイオードを介して蓄電する蓄電部とを備え、
前記スイッチ部は、前記非導通点、前記第一接続点、前記第二接続点の順番に接続可能であり、
前記スイッチ部が前記第二接続点に接続された場合に、前記手動発電部が発電した電力および前記蓄電部が蓄電した電力が、前記発光部に供給されることを特徴とする懐中電灯。
【請求項２】
前記蓄電部が電気二重層コンデンサーであることを特徴とする請求項１に記載の懐中電灯。
【発明の詳細な説明】
【技術分野】
【０００１】
本発明は、懐中電灯に関し、詳細には手動発電部を備えた懐中電灯に関する。
【背景技術】
【０００２】
従来、運動エネルギーを電気エネルギーに変換する電磁誘導型の振動発電部を備えた懐中電灯が知られている（例えば、特許文献１参照）。特許文献１に開示の発明は、筒状をなす筐体と、筐体内に設けられた筒状部材と、筒状部材の内部にて軸線方向に往復移動可能な永久磁石と、筒状部材の胴体部の外周面に巻回されたコイルと、当該コイルに接続するブリッジ式の整流部と、当該整流部に接続するコンデンサーと、当該コンデンサーから放電される電力を流す定電流ダイオードと、当該定電流ダイオードと順方向に接続される発光ダイオードとを備える。永久磁石が往復移動することでコイルに誘導電流が発生する。誘導電流は、ブリッジ整流回路にて整流された後にコンデンサーに流れる。これによりコンデンサーに電力が蓄電される。蓄電後に、コンデンサーが自身に蓄電した電力を発光ダイオードに供給することで、発光ダイオードは発光する。
【先行技術文献】
【特許文献】
【０００３】
【特許文献１】特開２００４−２６５８４７号公報
【発明の概要】
【発明が解決しようとする課題】
【０００４】
しかしながら、特許文献１に開示の発明では、コンデンサーが蓄電されていない状態から使用を開始する場合、使用者は永久磁石を振動させ、発光ダイオードが所定の輝度で発光可能となる電圧まで電力をコンデンサーに蓄電させなければならない。このため、使用を開始した後すぐに発光ダイオードを発光させることができないという問題があった。
【０００５】
本発明は、上記問題を解決するためになされたものであり、使用を開始した後すぐに発光させることができる手動発電部を備えた懐中電灯を提供することを目的とする。
【課題を解決するための手段】
【０００６】
本発明の一態様の懐中電灯は、電力が供給されることで発光する発光部と、前記発光部に接続され、非導通点、第一接続点、第二接続点のいずれかに接続可能なスイッチ部と、所定の電力を供給し、前記第一接続点に接続される電源部と、手動により電力を発電し、前記第二接続点に接続される手動発電部と、前記手動発電部が発電する電力を蓄電し、かつ前記スイッチ部が前記第一接続点に接続された場合に、前記電源部が供給する電力を逆流防止ダイオードを介して蓄電する蓄電部とを備え、前記スイッチ部は、前記非導通点、前記第一接続点、前記第二接続点の順番に接続可能であり、前記スイッチ部が前記第二接続点に接続された場合に、前記手動発電部が発電した電力および前記蓄電部が蓄電した電力が、前記発光部に供給されることを特徴とする。
【０００７】
本態様の懐中電灯においては、使用者がスイッチ部を第一接続点に接続すれば、電源部が供給する電力を蓄電部は直ちに蓄電する。その後、使用者がスイッチ部を第二接続点へ接続すれば、蓄電部は自身が蓄電した電力を発光部に供給する。これにより発光部は直ちに発光することができる。またこの際、手動発電部は自身が発電する電力を蓄電部に供給し、蓄電部にて漸減する電力分を補うことができる。すなわち、使用者は手動発電部を用いて蓄電部を蓄電させるまで待つ必要がなく、発光部を直ちに発光させることができる。その後も使用者は手動発電部を用いて発電することで、継続して懐中電灯を発光させることができる。さらに、スイッチ部が第一接続点に接続し、蓄電部が十分に電力を蓄電した場合、電源部は発光部に電力を供給し、発光部は発光する。すなわち、使用者は、スイッチ部を第一接続点から第二接続点へと接続するタイミングを発光部の発光により、目視にて直ちに認識することができる。また、スイッチ部は、非導通点、第一接続点、第二接続点の順番に接続可能である。この順番でスイッチ部が接続可能であることで、使用者はスイッチ部を第一接続点から第二接続点に順に接続する操作をすれば、第一接続点に接続した際に蓄電部に蓄電された電力を、確実に発光部へ供給させることができる。従って、懐中電灯の高い操作性を実現できる。
【０００８】
本態様の懐中電灯においては、前記蓄電部が電気二重層コンデンサーであってもよい。電気二重層コンデンサーであれば、繰り返し充放電しても特性の劣化が少ない。このため、懐中電灯を長寿命化させることができる。また、電気二重層コンデンサーであれば、蓄電に要する時間が極めて短時間であり、蓄電容量も大きくできる。
【図面の簡単な説明】
【００１０】
【図１】懐中電灯１の内部の構造を示す従断面図である。
【図２】スイッチ部１６０の可動部１６２の可動範囲および可動範囲の左端である非導通位置１６２Ａに可動部１６２がある状態を示す図である。
【図３】スイッチ部１６０の可動側端子１６０Ｄが、非導通端子１６０Ａに接続した状態の電気回路１００を示す図である。
【図４】スイッチ部１６０の可動側端子１６０Ｄが、第一接続端子１６０Ｂに接続した状態の電気回路１００を示す図である。
【図５】スイッチ部１６０の可動側端子１６０Ｄが、第二接続端子１６０Ｃに接続した状態の電気回路１００を示す図である。
【発明を実施するための形態】
【００１１】
本発明を具体化した懐中電灯の一実施の形態の懐中電灯１について、図面を参照して説明する。まず、図１、図２を参照して、懐中電灯１の内部の構造について説明する。以下の説明では、図１における右側を懐中電灯１の前側と定義し、図１における左側を懐中電灯１の後側と定義する。
【００１２】
図１に示すように、懐中電灯１は、筐体部１０と、スイッチ部１６０と、筐体部１０の前端側に設けられた発光部５と、筐体部１０の内部に設けられ振動により発電する振動発電部２と、振動発電部２と電気的に接続された基板４０とから構成される。
【００１３】
まず筐体部１０から説明する。筐体部１０は、筐体１７と、筐体１７の後端部を形成する壁部１８Ａと、筐体１７の前端部を形成する１８Ｂとから構成される。筐体１７は円筒状であって、その軸線方向は懐中電灯１の前後方向に延びている。筐体１７の後端部には、円板状の壁部１８Ａが取り付けられている。また、筐体１７の前端部には円板状の壁部１８Ｂが取り付けられている。筐体１７、壁部１８Ａ、１８Ｂの材料として、樹脂（ポリカーボネート樹脂、アクリル樹脂）等の非磁性体材料が使用される。
【００１４】
次に、図１を参照して、発光部５について説明する。発光部５は、円錐部材８と、円錐部材８の内側に設けられた反射鏡９と、反射鏡９の内側に設けられた発光ダイオード１７０とから構成される。前側に向かって開口する円錐状の円錐部材８は筐体１７の前端側に設けられている。また、円錐部材８の後端部の内側は壁部１８Ｂによって覆われている。円錐部材８の前端側には、円錐部材８内側への異物の侵入を防ぐ、透光性の透明部材１２が取り付けられている。また、円錐部材８、壁部１８Ｂおよび透明部材１２で囲まれた空間には、略半楕円体であって前端側が開口する反射鏡９が設けられている。反射鏡９の内周面はメッキ処理がなされ、光反射性を有する。さらに、反射鏡９の後端部の内側には発光ダイオード１７０が設けられている。より具体的には、発光ダイオード１７０は上述した壁部１８Ｂの中心近傍に設けられている。そして、発光ダイオード１７０の発光面１７２は、壁部１８Ｂの中心近傍から反射鏡９の内側に向かって突出している。発光面１７２が発光する光は、反射鏡９により前方向へと反射され、透明部材１２を通過する構成となっている。なお、発光ダイオード１７０の後部は、壁部１８Ｂの中心近傍から筐体１７の内側に向かって突出しており、後述する基板４０に取り付けられている。
【００１５】
次に、図１、図２を参照してスイッチ部１６０について説明する。スイッチ部１６０はその機械的な構成として可動部１６２および固定部１６３を備える。固定部１６３は筐体１７の前端側に設けられ、その一部が外周面１７Ａから筐体１７の外側に向かって突出している。固定部１６３の突出している部分には、懐中電灯１の前後方向にスライド可能な可動部１６２が設けられている。図２に示すように、可動部１６２は、自身の可動範囲の左端の位置である非導通位置１６２Ａから、前方向（矢印Ａ方向）へスライド可能である。これにより可動部１６２は、自身の可動範囲の略中間の位置にある第一切替え位置１６２Ｂ、および可動範囲の右端の位置にある第二切替え位置１６２Ｃに段階的に移動可能である。より具体的には、使用者が懐中電灯１を使用しない場合には、可動部１６２は非導通位置１６２Ａに位置する。そして使用者が、懐中電灯１の使用を開始する場合には、可動部１６２を第一切替え位置１６２Ｂまでスライドすることで、スイッチ部１６０は第一段階に切替わる構成となっている。また、使用者が可動部１６２を第二切替え位置１６２Ｃまでスライドさせることで、スイッチ部１６０は第二段階に切替わる構成となっている。図２では、第一切替え位置１６２Ｂおよび第二切替え位置１６２Ｃまでスライドした場合の可動部１６２を仮想線にて示している。なお、固定部１６３には筐体１７に固定され、後述する基板４０に電気的に接続されている。このため、可動部１６２のスライドに連動して、後述する電気回路１００におけるスイッチ部１６０の電気的な接続状態が切替わる。
【００１６】
次に、図１を参照して、振動発電部２について説明する。振動発電部２は、筒状部材１１と、筒状部材１１の前端部を形成する蓋部材１９と、筒状部材１１の内側に設けられた可動子１３と、筒状部材１１の外周面１１Ａに巻回されたコイル２０とから構成される。筒状部材１１は、筐体１７、壁部１８Ａ、１８Ｂで囲まれた空間に設けられる。そして、筒状部材１１は円筒状の形状をなし、その軸線方向は懐中電灯１の前後方向に延びる。筒状部材１１の後端面は壁部１８Ａの前端面に当接している。また、筒状部材１１の前端部には円板状の蓋部材１９が取り付けられている。筒状部材１１の内径は、筐体１７の内径の略１／３である。筒状部材１１の材料として、樹脂（アセタール樹脂、液晶ポリマー樹脂）等の非磁性体材料が使用できる。
【００１７】
筒状部材１１、壁部１８Ａ、蓋部材１９で囲まれた空間には、円柱状であってその軸線方向が懐中電灯１の前後方向に延びる可動子１３が設けられている。可動子１３の外径は、筒状部材１１の内径と比較して僅かに小さい。可動子１３は筒状部材１１内を、筒状部材１１の軸線方向に往復移動可能であり、その移動は、壁部１８Ａおよび蓋部材１９によって規制される。可動子１３は、単位磁石１４から構成される。単位磁石１４は一対の磁極を有する永久磁石であり、その軸線方向に磁化されている。
【００１８】
筒状部材１１の外周面１１Ａにはコイル２０が巻回されている。コイル２０は単位コイル２２１、２２２、２２３を備える。単位コイル２２１、２２２、２２３は互いに隣接した状態で、筒状部材１１の軸線方向と直交する方向に巻回されている。単位コイル２２１、２２３の巻回される方向は同一方向である。また、単位コイル２２２の巻回される方向は、単位コイル２２１、２２３の巻回される方向とは逆方向である。後述するように、可動子１３が筒状部材１１の軸線方向に往復移動することで、コイル２０には交流の誘導電流が発生する。単位コイル２２１、２２２、２２３は、一例としてエナメル線等が多数回に巻回されるものが使用できる。
【００１９】
次に、図１を参照して基板４０について説明する。基板４０は、筐体１７内の前端側に設けられており、コイル２０の出力部と電気的に接続されている。基板４０には上述した発光ダイオード１７０、スイッチ部１６０の他、後述する電気回路１００を構成する各部品が搭載されている。
【００２０】
次に、図３を参照して、基板４０の電気回路１００について説明する。電気回路１００は、コイル２０に生じる交流の電力を全波整流するブリッジ整流部１１０と、前記ブリッジ整流部１１０にて全波整流された電力の電圧を制限するリミッター部８０と、所定の電力を供給する電源部１３０と、電源部１３０が供給する電力を一定の方向にのみ供給させるダイオード１４０と、リミッター部８０で電圧が制限された電力および電源部１３０が供給する電力を蓄電する電気二重層コンデンサー１５０と、所定の電力が供給されることで発光する発光ダイオード１７０と、発光ダイオード１７０に供給される電流を調整する抵抗２００と、発光ダイオード１７０への電流の供給経路を切替えるスイッチ部１６０とから構成される。
【００２１】
図３に示すように、ブリッジ整流部１１０は整流ダイオード１１１、１１２、１１３、１１４を備える。整流ダイオード１１１のカソードおよび整流ダイオード１１４のアノードは、コイル２０の出力端子の一方に接続される。また、整流ダイオード１１２のカソードおよび整流ダイオード１１３のアノードは、コイル２０の他方の出力端子に接続される。後述するように、可動子１３の往復移動によりコイル２０には交流の誘導電流が発生する。ブリッジ整流部１１０はコイル２０に生じる交流の誘導電流を全波整流することができる。
【００２２】
リミッター部８０はツェナーダイオード８２から構成される。ツェナーダイオード８２のカソードはブリッジ整流部１１０の出力端子と接続され、アノードはブリッジ整流部１１０の入力端子と接続されている。ツェナーダイオード８２のカソードとアノードとの間の電圧が、所定の電圧（例えば５Ｖ）以上である場合には、ツェナーダイオード８２は自身のカソードからアノードへと電力を通過させる。これにより、電気二重層コンデンサー１５０に蓄電される電圧の上限を制限することができる。
【００２３】
電気二重層コンデンサー１５０は、ツェナーダイオード８２と並列に接続されている。より具体的には、電気二重層コンデンサー１５０の一方の端子１５０Ａはツェナーダイオード８２のカソードに接続される。そして、電気二重層コンデンサー１５０の他方の端子１５０Ｂは、ツェナーダイオード８２のアノードに接続されている。電気二重層コンデンサー１５０は、リミッター部８０が電圧制限した電力、および後述する電源部１３０が供給する電力を直ちに蓄電することができる。また、電気二重層コンデンサー１５０は後述するスイッチ部１６０の切替えにより、自身が蓄電した電力を後述する発光ダイオード１７０に供給できる。なお、本実施形態においては、一例として電気二重層コンデンサー１５０の容量は０．５Ｆである。
【００２４】
電源部１３０は着脱可能な電池から構成され、後述するスイッチ部１６０の第一接続端子１６０Ｂおよび後述するダイオード１４０を介して、電気二重層コンデンサー１５０と並列に接続されている。より具体的には、電源部１３０の陽極側の端子は、第一接続端子１６０Ｂおよびダイオード１４０を介して、端子１５０Ａに接続される。そして、電源部１３０の陰極側の端子は端子１５０Ｂに接続される。これにより、電源部１３０は、第一接続端子１６０Ｂを介して電気二重層コンデンサー１５０に電力を供給できる。また、後述するように、電源部１３０は第一接続端子１６０Ｂを介して発光ダイオード１７０にも接続されている。すなわち、電源部１３０は、第一接続端子１６０Ｂを介して、発光ダイオード１７０に電力を供給できる。なお、本実施形態においては、電源部１３０の電圧は３Ｖである。
【００２５】
図３に示すように、電気回路１００においては、スイッチ部１６０は、非導通端子１６０Ａと、第一接続端子１６０Ｂと、第二接続端子１６０Ｃと、可動側端子１６０Ｄとから構成される。可動側端子１６０Ｄは、非導通端子１６０Ａ、第一接続端子１６０Ｂまたは第二接続端子１６０Ｃに接続可能である。可動側端子１６０Ｄの接続点の切替えは、上述の可動部１６２のスライドと連動する。すなわち、可動部１６２が非導通位置１６２Ａにあるとき（図２参照）には、可動側端子１６０Ｄは非導通端子１６０Ａに接続されている。そして、可動部１６２が第一切替え位置１６２Ｂへとスライドする場合（図２参照）は、図４に示すように、可動側端子１６０Ｄは第一接続端子１６０Ｂに接続される。この場合、スイッチ部１６０は第一段階へと切替わる。さらに、可動部１６２が第二切替え位置１６２Ｃへスライドする場合（図２参照）は、図５に示すように、可動側端子１６０Ｄは第二接続端子１６０Ｃに接続される。この場合、スイッチ部１６０は第二段階へと切替わる。
【００２６】
図３に示すように、第一接続端子１６０Ｂは電源部１３０の陽極側の端子に接続される。第二接続端子１６０Ｃは端子１５０Ａに接続されている。そして、可動側端子１６０Ｄは、ダイオード１４０のアノードに接続している。ダイオード１４０のカソードは、端子１５０Ａに接続される。また、可動側端子１６０Ｄは、後述する発光ダイオード１７０のアノードにも接続している。
【００２７】
発光ダイオード１７０は、自身のアノードが可動側端子１６０Ｄに接続され、カソードが抵抗２００に接続されている。また、抵抗２００は、電源部１３０の陰極側の端子に接続される。抵抗２００は、発光ダイオード１７０に供給される電流を所定の範囲内とするための電流制御抵抗である。
【００２８】
次に、懐中電灯１の使用方法について説明する。図２及び図３に示すように、懐中電灯１が使用されない場合、スイッチ部１６０の可動部１６２は非導通位置１６２Ａにあり、可動側端子１６０Ｄは非導通端子１６０Ａに接続されている。
【００２９】
図２に示すように、懐中電灯１の使用を開始する場合、非導通位置１６２Ａにある可動部１６２を第一切替え位置１６２Ｂへと前方向（図２に示す矢印Ａ方向）にスライドする。図４に示すように、可動部１６２のスライドに連動して、可動側端子１６０Ｄは第一接続端子１６０Ｂに接続される。これにより、スイッチ部１６０は第一段階へと切替わり、電源部１３０は電気二重層コンデンサー１５０および発光ダイオード１７０に電力供給が可能となる。スイッチ部１６０が切替わった直後は、電源部１３０はダイオード１４０を介して電気二重層コンデンサー１５０に電力を供給する。この結果、電気二重層コンデンサー１５０は、発光ダイオード１７０の発光に必要な電力を数秒程度で蓄電する。
【００３０】
電気二重層コンデンサー１５０に電力が蓄電されると、電源部１３０は発光ダイオード１７０に対して電力を供給する。電源部１３０が供給する電力の一部は抵抗２００にて消費される。このため、発光ダイオード１７０には発光に適した所定の電力が供給され、この結果、発光面１７２は発光する。上述したように、発光面１７２は反射鏡９の内周面側にある（図１参照）。従って、発光面１７２から発生する光は、反射鏡９の内周面により反射されながら透明部材１２を通過する。これにより、懐中電灯１の使用者は、所望の場所を照らすことができる。
【００３１】
図２に示すように、電気二重層コンデンサー１５０に発光ダイオード１７０の発光に必要な電力が蓄電されれば、第一切替え位置１６２Ｂにある可動部１６２を、第二切替え位置１６２Ｃへと前方向（図２に示す矢印Ａ方向）にスライドさせる。図５に示すように、可動部１６２のスライドに連動して、第一接続端子１６０Ｂに接続していた可動側端子１６０Ｄは、第二接続端子１６０Ｃに接続される。これにより、スイッチ部１６０は第一段階から第二段階へと切替わる。この結果、電気二重層コンデンサー１５０は自身が蓄電した電力を、第二接続端子１６０Ｃを経由して発光ダイオード１７０に供給する。電気二重層コンデンサー１５０が供給する電力の一部は抵抗２００にて消費される。このため、発光ダイオード１７０には発光に適した所定の電力が供給され、この結果、発光面１７２は発光する。従って、スイッチ部１６０が第一段階から第二段階へと切替わっても、継続して発光ダイオード１７０の発光面１７２は発光する。すなわち、懐中電灯１の使用者は、継続して所望の場所を照らすことができる。なお、この場合、電気二重層コンデンサー１５０が蓄電した電力は自身の放電により漸減する。
【００３２】
次に、図１を参照して、コイル２０にて電力を発生させる方法について説明する。使用者は筐体１７が軸線方向に振動するように、懐中電灯１を振動させる。これにより、筒状部材１１、壁部１８Ａおよび蓋部材１９も、筒状部材１１の軸線方向に振動する。可動子１３と筒状部材１１との接触面で発生する摩擦力、および可動子１３が壁部１８Ａや蓋部材１９と衝突することで受ける力等により、可動子１３も、筒状部材１１の軸線方向に往復移動を開始する。可動子１３は筒状部材１１内を軸線方向に往復移動することで、コイル２０内の空間を出入りする。単位磁石１４は常に一定量の磁束を発生させている。従って、可動子１３がコイル２０内を出入りすれば、単位コイル２２１、２２２、２２３の内部を直交して通過する磁束が変化する。これにより、可動子１３がコイル２０内の出入りを繰り返せば、コイル２０には交流の誘導電流が発生する。
【００３３】
図５に示すように、コイル２０から発生する交流の電流は、ブリッジ整流部１１０にて全波整流され、その後リミッター部８０にて電圧制限された後、電気二重層コンデンサー１５０に蓄電される。すなわち、コイル２０は、振動発電部２が発電した電力を電気二重層コンデンサー１５０に供給する。従って、スイッチ部１６０が第二段階へ切替わり、電気二重層コンデンサー１５０の蓄電した電力が上述のように漸減しても、コイル２０がその漸減した電力分を補う。これにより、発光ダイオード１７０の発光面１７２は継続して発光する。従って、使用者は、懐中電灯１のスイッチ部１６０を第二段階へ切替えた後も、懐中電灯１を筐体１７の軸線方向へ振動させることで、持続的に所望の場所を照らし続けることができる。なお、電気二重層コンデンサー１５０に電力が十分蓄電されている状態にあっては、コイル２０は発光ダイオード１７０に対して電力を供給し、発光面１７２を発光させることもできる。また、スイッチ部１６０が第一段階に切替わっている際に（図４参照）、懐中電灯１を振動させた場合であっても、コイル２０は電気二重層コンデンサー１５０に対して、電力を供給することもできる。
【００３４】
以上説明したように、使用者は懐中電灯１の使用を開始する際に、スイッチ部１６０を第一段階、第二段階の順に切替える。スイッチ部１６０が第一段階に切替われば、電気二重層コンデンサー１５０は電力を直ちに蓄電し、その後、発光ダイオード１７０は電源部１３０が供給する電力により発光する。スイッチ部１６０が第二段階に切替われば、電気二重層コンデンサー１５０が蓄電した電力および振動発電部２が供給する電力により、発光ダイオード１７０は継続して発光する。従って、使用者は懐中電灯１の使用を開始する際に、電気二重層コンデンサー１５０に蓄電させるために、懐中電灯１を前後方向に振動させ振動発電部２にて発電をさせる手間を省くことができる。すなわち、使用者は懐中電灯１の使用を開始してから直ちに、懐中電灯１の発光面１７２を発光させることができる。
【００３５】
また、使用者がスイッチ部１６０を第一段階へ切替えた場合、電気二重層コンデンサー１５０に電力が十分に蓄電された後に発光面１７２は発光する。従って、使用者は電気二重層コンデンサー１５０に電力が十分に蓄電されたことを発光面１７２の発光により、直ちに目視で認識することができる。
【００３６】
また、懐中電灯１の蓄電部である電気二重層コンデンサー１５０は、繰り返し充放電しても特性の劣化が少ない。従って、懐中電灯１は、信頼性、耐久性に優れ、長期に亘って使用することができる。また、電気二重層コンデンサーであれば、蓄電に要する時間が極めて短時間であり、蓄電容量も大きくできる。
【００３７】
また、懐中電灯１の使用を開始する場合、スイッチ部１６０を、第一段階、第二段階の順に切替え可能である。従って、使用者は、懐中電灯１の使用を開始する場合、まず電源部１３０が供給する電力を電気二重層コンデンサー１５０に蓄電させ、その後、電気二重層コンデンサー１５０が蓄電した電力を発光ダイオード１７０に対して供給させる、という操作を迷うことなくできる。すなわち、懐中電灯１の高い操作性を実現することができる。
【００３８】
なお、本発明は各種の変形が可能である。筐体１７および筒状部材１１の形状は円筒形に限定されない。筐体１７および筒状部材１１の形状は、例えば、楕円筒形状、四角筒等その他の多角筒形状であってもよい。筐体１７の材料は、非磁性体であれば、銅、アルミニウム、真鍮等の金属であってもよく、鉄やステンレス等の磁性体材料でも構わない。また、可動子１３の形状は円柱形に限定されないが、筒状部材１１内と同一の断面形状を有していることが望ましい。さらに、可動子１３は二以上の単位磁石１４を備えた構成であってもよい。
【００３９】
また、電気回路１００において、ブリッジ整流部１１０の出力端子に自身の陽極側端子が接続され、ブリッジ整流部１１０の入力端子に自身の陰極側端子が接続される電解コンデンサーを設けて、さらに、電解コンデンサーの陽極側端子と、ツェナーダイオード８２との間に保護抵抗を設けてもよい。ブリッジ整流部１１０から供給される電力を電解コンデンサーにて平滑化し、保護抵抗にて電流制限することで、ツェナーダイオード８２および電気二重層コンデンサー１５０を、過電流や過電圧から保護することができる。
【００４０】
また、電気二重層コンデンサー１５０は電解コンデンサー等、電力を蓄電する二次電池等に置き換え可能である。また、コイル２０で発生する電力が所定の電圧以下になるのであれば、リミッター部８０はなくてもよい。また、発光ダイオード１７０に供給される電力が、発光面１７２を発光させるのに適した範囲の電力になるのであれば、抵抗２００はなくてもよい。また、スイッチ部１６０は、可動部１６２がスライドすることで切替わるスライドスイッチに限られず、押しボタンスイッチ等であってもよい。この場合、ボタンを押せば、スイッチ部１６０が上述の第一段階、第二段階の順に切替わる。
【００４１】
なお、本実施の形態においては、発光ダイオード１７０が「発光部」に、非導通端子１６０Ａが「非導通点」に、第一接続端子１６０Ｂが「第一接続点」に、第二接続端子１６０Ｃが「第二接続点」に、振動発電部２が「手動発電部」に、ダイオード１４０が「逆流防止ダイオード」に該当する。
【符号の説明】
【００４２】
２        振動発電部
１３０    電源部
１４０    ダイオード
１５０    電気二重層コンデンサー
１６０    スイッチ部
１６０Ａ  非導通端子
１６０Ｂ  第一接続端子
１６０Ｃ  第二接続端子
１７０    発光ダイオード
【図１】
0005708545.tif 000002
【図２】
0005708545.tif 000003
【図３】
0005708545.tif 000004
【図４】
0005708545.tif 000005
【図５】
0005708545.tif 000006